(57)【特許請求の範囲】
【請求項１】
所定の接続部材を介して放電灯に電力を供給するとともに当該放電灯の点灯制御を行う点灯制御手段と、放電灯の点灯又は不点灯状態を検出する点灯状態検出手段と、放電灯が接続部材に接続されているか否かを検出する接続状態検出手段と、放電灯への電力供給の許否を制御する電力供給規定手段とを備えた放電灯点灯回路において、
電力供給規定手段が、放電灯が接続部材から外れていることを示す接続状態検出手段からの信号及び放電灯の不点灯状態を示す点灯状態検出手段からの信号を同時に受けた場合に放電灯への電力供給を停止するようにした
ことを特徴とする放電灯点灯回路。
【請求項２】
請求項１に記載の放電灯点灯回路において、
電源投入時から所定時間を経過するまでの期間に接続状態検出手段から電力供給規定手段に信号が送出されないようにし又は当該信号を無視するための信号マスク手段を設けた
ことを特徴とする放電灯点灯回路。
【請求項３】
請求項１又は請求項２に記載の放電灯点灯回路において、
放電灯が接続部材から外れていることを示す信号及び放電灯の不点灯状態を示す信号を電力供給規定手段が受けた時点から放電灯への電力供給を停止させるまでの時間が、放電灯の点灯時に起動手段によって放電灯に供給される起動パルスの生成周期に比して短い時間に設定されている
ことを特徴とする放電灯点灯回路。
【発明の詳細な説明】
【０００１】
【発明の属する技術分野】
本発明は、放電灯が接続部材から外れた場合に放電灯への電力供給動作を停止することによって回路を保護する機能を備えた放電灯点灯回路に関するものである。
【０００２】
【従来の技術】
放電灯の点灯回路では、放電灯に何等かの異常が発生した場合や回路動作に異常が生じた場合に、保護回路によって放電灯への電力供給が遮断されるように構成される。
【０００３】
例えば、放電灯がソケット等の接続部材から外れたことを検出する接続状態検出手段を設けて、放電灯の接続部材からの外れを検出したときに直ちに放電灯への電力供給を停止するように回路を構成することが考えられる。
【０００４】
【発明が解決しようとする課題】
しかしながら、上記の回路にあっては放電灯が接続部材から外れていないにもかかわらず、振動や一時的な接触不良等によって接続状態検出手段に誤検出が生じた場合に、放電灯への電力供給が止まったり、あるいは放電灯の点滅が繰り返されてしまうという問題がある。
【０００５】
そこで、本発明は、放電灯がソケット等の接続部材から外れたと判断され、かつ放電灯が不点灯状態であると判断された場合に放電灯への電力供給を停止することによって、上記接続状態検出手段の誤検出による弊害を防止することを課題とする。
【０００６】
【課題を解決するための手段】
本発明は上記した課題を解決するために、放電灯の点灯又は不点灯状態を検出する点灯状態検出手段と、放電灯が接続部材に接続されているか否かを検出する接続状態検出手段と、放電灯への電力供給の許否を制御する電力供給規定手段とを設け、電力供給規定手段が、放電灯が接続部材から外れていることを示す接続状態検出手段からの信号及び放電灯の不点灯状態を示す点灯状態検出手段からの信号を同時に受けた場合に放電灯への電力供給を停止するように構成したものである。
【０００７】
従って、本発明によれば、放電灯が接続部材から外れていることを示す信号を接続状態検出手段が電力供給規定手段に送出しても、放電灯が不点灯状態であることが点灯状態検出手段によって検出されない限り、放電灯への電力供給が停止されることがない。
【０００８】
【発明の実施の形態】
図１は本発明に係る放電灯点灯回路１の基本構成を示すものであり、電源２、点灯制御手段３、点灯状態検出手段４、接続状態検出手段５、電力供給規定手段６を備えている。
【０００９】
点灯制御手段３は、電源２からの電源電圧に基づいて放電灯７（例えば、メタルハライドランプ等）の電力制御を行うものである。点灯制御手段３には既知の方式（正弦波点灯方式や矩形波点灯方式等。）の構成が用いられ、該点灯制御手段３は、例えば、放電灯７の点灯初期に放電灯の定格電力を上回る電力を供給することによって放電灯の発光を促進させる制御を行ったり、あるいは放電灯７の定常点灯時において安定した定電力制御を行う。
【００１０】
放電灯７の起動時にあたっては起動パルスを生成して該パルスを放電灯７に供給するための起動手段８（所謂イグナイタ）が点灯制御手段３の出力段に設けられている。尚、起動パルスは放電灯７に起動がかかるまでの期間中、起動手段８によって所定の周期（これを「Ｔｔｒ」と記す。）をもって生成される。
【００１１】
点灯状態検出手段４は、放電灯７が点灯状態であるか又は不点灯状態であるかを検出するために設けられ、放電灯７のランプ電圧やランプ電流あるいはこれらの相当信号として点灯制御手段３の内部で検出される信号（例えば、点灯制御手段３が直流昇降圧回路を有する場合の当該直流昇降圧回路の出力電圧・出力電流の検出信号等。）、又は放電灯７の近くに付設された光センサー９の検出信号等に基づいて放電灯７の点灯・不点灯の如何を判断し、判断結果を電力供給規定手段６に送出する。尚、ここで「不点灯」状態とは放電灯が点灯すべき状況において消灯していることを意味し、積極的な消灯状態は含まない。
【００１２】
接続状態検出手段５は、放電灯７がソケットやコネクタ等の接続部材１０に接続されているか否かを検出するために設けられるものであり、その検出方法には如何なる方法も用いることができる。例えば、図２の等価回路に示すように放電灯７が接続部材１０に接続されているか否かを検出接点の開閉によって検出する方法では、放電灯７のソケット１０Ａ内に放電灯への給電端子１１、１１（これらは点灯制御手段３の電源ラインに接続される。）の他に、一対の検出接点１２、１２が設けられており、同図の左図に示すように放電灯７がソケット１０Ａに接続されていない状態では、検出接点１２、１２が開いた状態（図ではオフ状態のスイッチの記号で示す。）となっており、また、右図に示すように放電灯７とソケット１０Ａとが充分に接続されている状態では、検出接点１２、１２が閉じた状態（図ではオン状態のスイッチの記号で示す。）となる。これによって、検出接点１２、１２の示す２値状態に基づいて放電灯７のソケット１０Ａへの取り付けの有無を判断することができる。尚、これに限らず放電灯をソケットに装着したときに放電灯の一部を光学的、磁気的に検出する方法等を挙げることができ、この場合には検出接点１２、１２を各種のセンサーに置き換えれば良い。
【００１３】
そして、接続状態検出手段５による検出結果は、電力供給規定手段６に送出される。
【００１４】
電力供給規定手段６は、下記の２条件（Ｉ）、（ＩＩ）が同時に満たされる場合に放電灯７への電力供給を停止し、それ以外の場合には他の停止条件（例えば、放電灯や回路に異常が検出された場合等。）が成立しない限り、放電灯７への電力供給を行う。
【００１５】
（Ｉ）放電灯が接続部材から外れていることを示す検出信号を接続状態検出手段から受けること
（ＩＩ）放電灯の不点灯状態を示す検出信号を点灯状態検出手段から受けること。
【００１６】
即ち、放電灯７が接続部材１０から外れていないのにもかかわらず、振動等に伴う接続状態検出手段５の誤検出（例えば、上記検出接点１２、１２の接触不良等。）が生じた場合には、放電灯７の不点灯状態が検出されない限り放電灯への電力供給を続行する。
【００１７】
図３は電力供給規定手段６の構成についての説明図であり、点灯状態検出手段４による検出信号（これを「Ｓ４」と記し、例えば、不点灯状態の検出時にＬ（ロー）信号とする。）が２入力ＯＲ（論理和）ゲート１３の一方の入力端子に入力される。また、上記検出接点１２、１２の開閉に応じた信号（これを「Ｓ１２」と記す。）がコンパレータ１４のマイナス入力端子に入力され、該信号Ｓ１２のレベルがコンパレータ１４のプラス入力端子に供給される基準電圧（これを「Ｅ１」とする。）と比較された後、接続状態検出手段５の検出信号（これを「Ｓ５」と記す。）としてＯＲゲート１３の残りの入力端子に入力される。
【００１８】
つまり、この構成では検出接点１２、１２が開状態である場合にコンパレータ１４がＬ信号を出力するが、点灯状態検出手段４の検出信号Ｓ４がＬ信号である場合にのみＯＲゲート１３の出力信号（これを「Ｓ１３」と記す。）がＬ信号となり、当該Ｌ信号によって放電灯７への電力供給が停止される。よって、ＯＲゲート１３の２つの入力信号の少なくとも一方がＨ（ハイ）信号である場合、つまり、放電灯７が点灯状態である場合及び／又は検出接点１２、１２が閉状態である場合にはＯＲゲート１３の出力信号Ｓ１３がＨ信号となるため放電灯７への電力供給が許可される。
【００１９】
放電灯７への電力供給の許可又は遮断については、例えば、電源２から点灯制御手段３への給電ライン上にスイッチ手段（リレー接点や半導体スイッチ素子等。）を設けてそのオン／オフ制御を行う方法が挙げられるが、電源２から所定の定電源電圧を生成して点灯制御手段３に供給するための定電源回路１５を設け（図１参照。）、電力供給規定手段６から定電源回路１５に送出される制御信号によって定電源回路１５の動作を停止させるか又は定電源回路１５から点灯制御手段３に送出される電源出力を遮断することによって放電灯７への電力供給を遮断することが好ましい。これは、スイッチ手段の接点容量や耐圧に関する問題がなく、また、回路構成の複雑化や著しいコストの上昇を伴うことなく放電灯７への電力供給や停止の制御を比較的簡単に行うことができるからである。
【００２０】
尚、点灯回路１の電源投入時から所定時間を経過するまでの期間においては、接続状態検出手段５から電力供給規定手段６に信号が送出されないようにし又は当該信号を電力供給規定手段６に関して無視するための信号マスク手段を設けることが好ましい。その理由は点灯スイッチの操作や自動点灯装置からの指示信号に従って点灯回路１の電源投入を行った時点から放電灯７が点灯するまでの期間に上記した接続状態検出手段５の誤検出が生じた場合には、放電灯７が未だ点灯していないため放電灯への電力供給が行われない状況に陥ってしまうからである。例えば、放電灯を光源とする車輌用灯具では、車輌の駆動源（エンジン、モータ等）の振動や磁界変化等の外乱によって接続状態検出手段５の誤検出が惹き起される虞がある。
【００２１】
そこで、このような場合には、例えば、図４に示すように信号マスク手段１６を時定数回路１７及びコンパレータ１８を用いて構成する。即ち、抵抗Ｒ及びコンデンサＣの直列回路からなる時定数回路１７において、抵抗Ｒの一端を電源端子１８に接続するとともに、該抵抗Ｒの他端をコンデンサＣを介して接地する。そして、コンデンサＣの端子電圧をコンパレータ１８のプラス入力端子に入力し、該コンパレータ１８のマイナス入力端子には所定の基準電圧（これを「Ｅ２」とする。）を供給するとともに、コンパレータ１８の出力端子を図３に示す接続点Ｐａに接続する（つまり、コンパレータ１４のマイナス入力端子に接続する。）。これによって、点灯回路１の電源投入時に電源端子１８から抵抗Ｒを介してコンデンサＣの充電が行われ、該コンデンサＣの端子電圧が基準電圧Ｅ２を越えるまでの間はコンパレータ１８の出力がＬ信号となるため、図３のコンパレータ１４は図２における検出接点１２、１２が閉状態である場合と同じ信号入力を受けることになる。そして、コンデンサＣの端子電圧が基準電圧Ｅ２を越えた場合にはコンパレータ１８の出力がオープンコレクタとなり、検出接点１２、１２の開閉状態を示す信号Ｓ１２がそのままコンパレータ１４へのマイナス入力信号となる。
【００２２】
この回路では、抵抗Ｒの抵抗値及びコンデンサＣの静電容量、そして基準電圧Ｅ２によって信号マスク手段１６の判定時間が規定され、該信号マスク手段１６の出力を図３のＯＲゲート１３の入力段におけるコンパレータ１４に供給したが、これに限らず、例えば、図５に示すように、信号マスク手段１９の出力信号とＯＲゲート１３の出力信号Ｓ１３との論理和演算を行うように構成しても良い。
【００２３】
即ち、図示するように２入力ＯＲゲート２０の一方の入力端子にはクロック信号発生回路２１の出力するクロック信号を入力するとともに、ＯＲゲート２０の出力信号をカウンタ２２のクロック入力端子（ＣＫ）に供給する。そして、カウンタ２２のセット端子（Ｓ）には電源投入後にＨ信号を供給し、カウンタ２２の所定段位のビット信号を出力端子（Ｑｎ）から取り出してＮＯＴ（反転）ゲート２３に送出するとともにこれをＯＲゲート２０の残りの入力端子に送出する。
【００２４】
ＮＯＴゲート２３の出力信号及び上記ＯＲゲート１３の出力信号Ｓ１３をＯＲゲート２４に入力して、ここで両者の論理和信号を得るように構成すれば、電源投入時からカウンタ２２はＯＲゲート２０を介して入力されるクロック信号を計数し、この間、カウンタ２２の出力端子（Ｑｎ）からＮＯＴゲート２３を介してＯＲゲート２４にＨ信号が送出されるのでＯＲゲート２４はＨ信号を出力する。つまり、放電灯７への電力供給が行われる。そして、カウンタ２２の出力端子（Ｑｎ）からＨ信号が出力され、これがＮＯＴゲート２３を介してＬ信号としてＯＲゲート２４に送出されると、ＯＲゲート２０の出力信号はＯＲゲート１３の出力信号Ｓ１３によって規定されるようになる。つまり、ＯＲゲート１３の信号Ｓ１３がＬ（Ｈ）信号であればＯＲゲート２４の出力信号（これを「Ｓ２４」と記す。）がＬ（Ｈ）信号となって放電灯７への電力供給が停止（許可）されることなる。
【００２５】
尚、放電灯７が接続部材１０から外れていることを示す信号及び放電灯７の不点灯状態を示す信号の両信号を電力供給規定手段６が受けた時点から放電灯７への電力供給を停止させるまでに要する時間については、これを放電灯７の点灯時に起動手段８が生成する起動パルスの生成周期Ｔｔｒに比して短い時間に設定することが好ましい。
【００２６】
即ち、図３の構成において、上記（Ｉ）、（ＩＩ）の検出時点からＯＲゲート１３がＬ信号を出力するまでには、一般に時間的な遅れがあるが、この時間が起動パルスの生成周期Ｔｔｒより長い場合には、放電灯に起動パルスが供給されることによる弊害（例えば、感電事故や外部機器への電磁干渉等）が生じる虞がある。そこで、これを防止するための条件として、（Ｉ）及び（ＩＩ）の２条件の同時成立の判断に要する時間を「Ｔｄ」と記すとき、「Ｔｄ  ＜  Ｔｔｒ」の関係を採用することによって、起動パルスの生成を停止させることができる。
【００２７】
図６はそのための回路構成の一例を示すものであり、（Ｉ）及び（ＩＩ）が検出された場合に放電灯７への電力供給を遮断するとともに、この遮断状態を次の電源投入時まで保持するようにした構成例を示す。
【００２８】
信号Ｓ１３（あるいはＳ２４）はカウンタ２５のリセット端子（ＲＳＴ）に入力され、該カウンタ２５のクロック入力端子（ＣＫ）には、クロック信号発生回路２６からのクロック信号が入力される。そして、信号Ｓ１３（あるいはＳ２４）がＬ信号である場合にカウンタ２５の計数動作が行われ、その所定段位のビット信号がラッチ回路２７を介して端子２８から出力される。つまり、この回路では上記Ｔｄの時間設定がカウンタ２５の出力段位の選定によって行われ、クロック信号を所定数だけ計数した結果、出力端子（Ｑｎ）がＨ信号となるまでに要する時間が上記Ｔｔｒより短くなるように規定されているので、次の起動パルスが生成されるまでの期間内においてカウンタ２５の出力するＨ信号がラッチ回路２７により保持される。よって、この場合には端子２８からＨ信号が出力される時に放電灯７への電力供給が停止されるように後段の回路を構成すれば良い（つまり、端子２８の出力が一旦Ｈ信号となった場合には、電源の再投入によってラッチ回路２７の保持を解除しない限り端子２８はＨ信号を出力したままとする。）。
【００２９】
尚、このように放電灯７への電力供給の遮断状態を次の電源投入時まで保持することなく、上記（Ｉ）又は（ＩＩ）の条件、あるいは両条件が満たされなくなった場合に放電灯への電力供給を再開させるように回路を構成する場合には、図６に破線Ｈで示すように、信号Ｓ１３（あるいはＳ２４）をラッチ回路２７のリセット端子（ＲＳＴ）に供給すれば、（Ｉ）又は（ＩＩ）の条件の不成立時にラッチ回路２７がリセットされるので、該ラッチ回路２７によるＨ信号の保持が解除される。
【００３０】
【実施例】
図７乃至図１１は本発明の実施例を示すものであり、例えば、放電灯を光源とする車輌用灯具等の点灯回路に用いることができる。
【００３１】
図７は放電灯への電力供給制御についての要部の回路構成を示すブロック図であり、当該回路をＩＣ（集積回路）化して一のチップとすることにより装置の小型化等を図ることができる。
【００３２】
回路２９において、点灯状態検出信号Ｓ４（不点灯状態の検出時にＬ信号とする。）、接続状態検出信号Ｓ５（放電灯７が接続部材１０から外れた状態の検出時にＬ信号とする。）、後述するＯＲゲート３５の出力信号（これを、「Ｓ３５」と記し、放電灯７への電力供給の停止時にＨ信号とする。）、パワーオンリセット信号（これを「ＳＰ」と記し、点灯回路の電源投入直後の所定期間においてのみＨ信号とする。）が多入力ＯＲゲート３０の各入力端子にそれぞれ入力された後、該ＯＲゲート３０の出力信号がカウンタ３１（上記カウンタ２５に相当する。）のリセット端子（ＲＳＴ）に送出される。カウンタ３１はＯＲゲート３０の出力信号がＬ信号である場合に、クロック信号発生回路３２からのクロック信号をカウントし、クロック信号の所定数のカウント後に出力端子（Ｑｎ）から後段の多入力ＯＲゲート３３に対してＨ信号を送出する。
【００３３】
ＯＲゲート３３の入力端子には、カウンタ３１の出力信号（これを「Ｓ３１」と記す。）の他に、放電灯や回路の異常を検出する異常検出回路（図示せず。）から検出信号Ｓａｂ（異常の検出時にＨ信号とする。）が入力されるが、要はＯＲゲート３３の入力信号のうちのどれかがＨ信号になるとこれが後段のラッチ回路３４で保持され、該ラッチ回路３４の出力信号がさらにその後段の２入力ＯＲゲート３５の一方の入力端子に送出される。
【００３４】
ＯＲゲート３５の他方の入力端子には、点灯回路に入力される電源電圧又は電流が所定範囲内であるか否かを監視する電源入力監視回路３６の出力信号（これを「Ｓ３６」と記し、電源電圧又は電流が許容範囲である場合にＬ信号とする。）が入力される。
【００３５】
そして、ＯＲゲート３５の出力信号Ｓ３５がＨ信号である場合に上記定電源回路１５を介して放電灯７への電力供給が停止され、また、上記したように出力信号Ｓ３５がＯＲゲート３０に入力される。
【００３６】
図８乃至図１１は上記回路の動作例について説明するための図であり、図中の「ＶＢ」は点灯回路１への入力電圧、「Ｖｃｃ」は定電源回路１５から上記した各回路部に供給される電源電圧をそれぞれ示しており、その他の信号については既述の通りである。
【００３７】
図８は放電灯がソケットから外れた状態で点灯回路の電源投入を行った直後の状況を示しており、電源投入時点を起点とするある期間内は入力電圧ＶＢの上昇に伴ってＶｃｃが徐々上昇するが、入力電圧ＶＢの上昇期間におけるパワーオンリセット信号ＳＰの立ち下がり時点からＶｃｃが鋭く立ち上がって規定の電圧値となり、Ｖｃｃを電源電圧とする上記の回路が作動する。
【００３８】
そして、検出信号Ｓ３６は最初Ｈ信号であるため、この間信号Ｓ３５はＨ信号となり放電灯７への電力供給は行われないが、入力電圧ＶＢが所定値以上となった時点で信号Ｓ３６はＬ信号となる。そして、信号Ｓ４、Ｓ５、Ｓ３５、ＳＰのうち最後にＬ信号となった信号Ｓ３５の立ち下がり時点からカウンタ３１が動作し、所定の計数後（期間「Ｔｄ」で示す。）に信号Ｓ３１が一時的にＨ信号となる。
【００３９】
つまり、この場合には放電灯７への電力供給が一時的に行われるが（期間Ｔｄ参照。）、放電灯７がソケット１０Ａから外れた状態となっており、かつ放電灯７が不点灯状態であると判断されるため、信号Ｓ３１（Ｈ信号）のラッチによって、信号Ｓ３５がＨ信号となり、放電灯７への電力供給が停止され、この状態は次回の電源投入時まで保持される。
【００４０】
尚、電源電圧又は電流が許容範囲から逸脱した場合には信号Ｓ３６がＨ信号となり放電灯７への電力供給が停止されるが、該信号Ｓ３５がＯＲゲート３０を介してカウンタ３１のリセット信号となるため、カウンタ３１の出力信号がラッチされることはなく、よって信号Ｓ３６がＬ信号になったときに放電灯７への電力供給が再開される。また、ＯＲゲート３３の出力するＨ信号がラッチされた場合には信号Ｓ３５がＯＲゲート３０を介してカウンタ３１へのリセット信号となるが、信号Ｓ３１（Ｈ信号）は既にラッチ回路３４により保持されるので動作上の問題はない。
【００４１】
図８では時刻ｔｃにおいて放電灯７をソケット１０Ａに接続する操作をしているが、ソケット１０Ａの検出接点１２、１２が接点不良等によってオープン状態のままである場合には、同図に１点鎖線で示すように信号Ｓ５がＬ信号のままとなる。
【００４２】
図９は点灯回路への電源投入後に接続状態検出手段５の誤検出によって信号Ｓ５がＨ信号とＬ信号とを繰り返した後Ｌ信号に落ち着いた状況を示している。
【００４３】
この場合には、信号Ｓ５が最後にＨ信号からＬ信号になった時点からカウンタ３１の計数動作が開始され、時間Ｔｄの経過後に信号Ｓ３１がＨ信号となって、これがラッチ回路３４によって保持されるため、信号Ｓ３５がＨ信号となって放電灯７への電力供給が停止し、この状態は次回の電源投入時まで保持される。
【００４４】
図１０は放電灯７の点灯中に放電灯がソケット１０Ａから外れた状況を示しており、信号Ｓ４がＨ信号である間に信号Ｓ５がＨ信号からＬ信号に変化するため、信号Ｓ４の立ち下がり時点からカウンタ３１の計数動作が開始され、時間Ｔｄの経過後に信号Ｓ３１が一時的にＨ信号となり、これがラッチ回路３４によって保持されるため信号Ｓ３５がＨ信号となって放電灯７への電力供給が停止し、この状態が次回の電源投入時まで保持される。
【００４５】
図１１は放電灯７の点灯中において接続状態検出手段５の誤検出により信号Ｓ５がＨ信号とＬ信号とを繰り返した後Ｈ信号に落ち着いた状況を示しており、この場合には信号Ｓ４がＨ信号、つまり放電灯７が点灯状態のままであるため、信号Ｓ３５はＬ信号であり、よって放電灯７への電力供給が行われる。
【００４６】
【発明の効果】
以上に記載したところから明らかなように、請求項１に係る発明によれば、放電灯が接続部材から外れていることを示す信号を接続状態検出手段が電力供給規定手段に送出しても、放電灯が不点灯状態であることが点灯状態検出手段によって検出されない限り、放電灯への電力供給が停止されることがないので、接続状態検出手段に誤検出が生じた場合でも放電灯が点灯している間は放電灯への電力供給が行われる。よって、放電灯への電力供給が上記誤検出によって放電灯の点灯状態の如何に関係なく突然止まったり、あるいは放電灯の点滅が繰り返されてしまうといった不都合を防ぐことができる。
【００４７】
請求項２に係る発明によれば、電源投入時から所定の時間を経過するまでの期間において接続状態検出手段から電力供給規定手段に信号が送出されないようにし又は当該信号を無視することによって、上記期間中に接続状態検出手段の誤検出が生じた場合に放電灯が未だ点灯していないことを理由に放電灯への電力供給が行われない状況に陥ってしまうという不都合を回避することができる。
【００４８】
請求項３に係る発明によれば、放電灯への電力供給を停止するのに要する時間を、放電灯の点灯時に放電灯に供給される起動パルスの生成周期に比して短い時間に設定することによって、放電灯への電力供給を停止するまでの間に起動パルスが生成されることによる弊害（感電事故や電磁干渉等）を防止することができる。
【図面の簡単な説明】
【図１】本発明に係る放電灯点灯回路の基本構成を示すブロック図である。
【図２】放電灯と接続部材との間の接続状態の検出について説明するための図である。
【図３】電力供給規定手段の構成についての説明図である。
【図４】点灯回路の電源投入時から所定時間を経過するまでの期間において、接続状態検出手段から電力供給規定手段への信号をマスクするための信号マスク手段の構成例を示す回路図である。
【図５】信号マスク手段について図５とは異なる構成例を示す回路図である。
【図６】放電灯への電力供給を停止するまでの判断に要する時間の設定について説明するための回路図である。
【図７】図８乃至図１１とともに、本発明の実施例を示すものであり、本図は回路構成の要部を示す回路図である。
【図８】図９乃至図１１とともに、図７の回路の動作について説明するための概略的なに波形図及びタイムチャート図であり、本図は放電灯がソケットから外れた状態で点灯回路の電源投入を行った直後の状況を示す。
【図９】点灯回路への電源投入後に接続状態検出手段の誤検出によって信号Ｓ５が反転を繰り返した後Ｌ信号に落ち着いた状況を示す図である。
【図１０】放電灯の点灯中に放電灯がソケットから外れた状況を示す図である。
【図１１】放電灯の点灯中において接続状態検出手段の誤検出により信号Ｓ５が反転を繰り返した後Ｈ信号に落ち着いた状況を示す図である。
【符号の説明】
１…放電灯点灯回路、２…電源、３…点灯制御手段、４…点灯状態検出手段、５…接続状態検出手段、６…電力供給規定手段、７…放電灯、８…起動手段、１０、１０Ａ…接続部材、１６、１９…信号マスク手段
【図１】
0003729961.tif 000002
【図２】
0003729961.tif 000003
【図３】
0003729961.tif 000004
【図４】
0003729961.tif 000005
【図５】
0003729961.tif 000006
【図６】
0003729961.tif 000007
【図７】
0003729961.tif 000008
【図８】
0003729961.tif 000009
【図９】
0003729961.tif 000010
【図１０】
0003729961.tif 000011
【図１１】
0003729961.tif 000012